(57)【要約】【課題】  多機能型画像形成装置における画像処理機能の設定を容易にする。【解決手段】  多機能型画像形成装置の不揮発性メモリに原稿画像の入力形式と出力形式との組合せにより実行される画像処理機能の情報を予め記憶しておく。ユーザーはプログラムキーの操作により（Ｓ２１）、プログラムの呼出し画面を表示し（Ｓ２２）、所定の登録番号の画像データの処理プログラムが設定登録済みかチェックする（Ｓ２４）。登録済みのとき、前記入出力形式の組合せが構成されているかチェックし（Ｓ２５）、構成されているときこの組合せにより実行される画像処理機能の情報を不揮発メモリから呼出す（Ｓ３０）。構成されていないとき、入力又は出力形式のいずれかを設定して組合せを構成し、（Ｓ２６〜Ｓ２９）、この組合せにより実行される画像処理機能情報を不揮発メモリから呼出す（Ｓ３０）。呼出された画像処理機能情報により原稿画像の処理を行う。【選択図】  図１４
2006148243.tif 000002
【特許請求の範囲】
【請求項１】
多機能型の画像形成装置において、
原稿画像の入力形式及び出力形式を入力する手段と、
予め入力された入力形式と出力形式の組合せ情報及び該組合せ情報に対応させて、該組合せ情報に応じて実行される画像処理情報を記憶する手段と、
原稿画像毎に入力された入力形式及び出力形式に基いて入力形式と出力形式の組合せ情報を作成し、この組合せ情報に基いて前記画像処理情報を記憶手段から取得し、取得された画像処理情報により原稿画像を処理する手段と、
を備えたことを特徴とする画像形成装置。
【請求項２】
多機能型の画像形成装置において、
原稿画像の入力形式又は出力形式を入力する手段と、
予め入力された入力形式と出力形式の組合せ情報及び該組合せ情報に対応させて、該組合せ情報に応じて実行される画像処理情報並びに入力された入力形式又は出力形式を記憶する手段と、
原稿画像毎に前記入力形式及び出力形式が入力されているか否かを判断し、入力されていないとき入力形式及び出力形式の組合せ情報が構成されるように入力形式又は出力形式の入力をユーザーに要求し、要求に応じて入力された入力形式又は出力形式に基いて前記組合せ情報を作成し、この組合せ情報に基いて前記画像処理情報を記憶手段から取得し、取得された画像処理情報により原稿画像を処理する手段と、
を備えたことを特徴とする画像形成装置。
【請求項３】
多機能型の画像形成装置のコンピュータを、
原稿画像の入力形式及び出力形式の少なくとも一方の形式を入力する手段、
予め入力された入力形式と出力形式の組合せ情報及び該組合せ情報に対応させて、該組合せ情報に応じて実行される画像処理情報を記憶させる手段、
原稿画像毎に前記入力形式及び出力形式が入力されているか否かを判断し、入力されているとき、この入力形式及び出力形式に基いて入力形式及び出力形式の組合せ情報を作成し、入力されていないとき入力形式及び出力形式の組合せ情報が作成されるように入力形式又は出力形式の入力をユーザーに要求し、要求に応じて入力された入力形式又は出力形式に基いて前記組合せ情報を作成し、この組合せ情報に基いて、前記画像処理情報を記憶手段から取得し、取得された画像処理情報により原稿画像を処理する手段、
として機能させるためのプログラム。
【発明の詳細な説明】
【技術分野】
【０００１】
本発明は、コピー機能、ファクシミリ送信機能、スキャナ機能等の機能を有する多機能型の画像形成装置及びこの装置で使用するプログラムに関する。
【背景技術】
【０００２】
複数のデータ入出力機能、変換機能、処理機能を有するマルチファンクション型の画像形成装置として、例えばコピー機能、ファクシミリ機能、スキャナ機能、プリンタ機能等を搭載したデジタル複写機が開発されている。より具体的には、デジタル複写機に、該複写機が本来備えている原稿読取装置、印刷装置に加え、ファクシミリ通信装置、ファイル入出力装置、オンライン入力装置等を付加することにより多種類の機能を実現するものである。このようなマルチファンクション型の画像形成装置では、スキャナ装置と印刷装置を組合せてコピー機能、スキャナ装置とファクシミリ装置を組合せてファクシミリ（ＦＡＸ）機能、スキャナ装置とネットワーク通信装置を組合せてスキャナ機能と称し、それぞれの機能は別々に開発される。
【０００３】
マルチファンクション型の画像形成装置は、任意のコピー設定、ＦＡＸ送信設定、スキャナ送信設定等において設定操作が煩雑になることが避けられず、このため、設定操作を少しでも単純にするために使用頻度の多いコピー設定（例えば両面コピー、集約コピー等）、ＦＡＸ送信設定（親展送信、時刻指定送信等）、スキャナ送信設定（解像度、読取サイズ等）を、それぞれ設定情報を含むプログラムとして不揮発性メモリに記憶し、このプログラムをキー操作で呼出して使用することが行われている。即ち、マルチファンクション型の画像形成装置のテンキー、プログラムキー及び表示部を備える操作部で、前記プログラムキーを押下し、更にテンキーを押下することにより、その押下によって入力された数字に対して登録されているコピーモードの内容（コピープログラム登録内容）を呼出しその画面を表示部に表示させる。また、プログラムキーを押下した後、ＦＡＸ短縮キー群のいずれか１つのＦＡＸ短縮キーを押下し、そのキーに対して登録されているＦＡＸモードの内容（ＦＡＸプログラムの登録内容）を呼出しその画面を表示部に表示させる発明が公知である（特許文献１参照）。
【０００４】
この発明によれば、それまで、登録したＦＡＸモードを呼出すためには、あくまで操作部の表示部にＦＡＸの画面が表示されている状態でプログラムキーを押下し、更にＦＡＸ短縮キー群のいずれかのキーを押下することによりＦＡＸモードを呼出し、その画面を表示部に表示させなければならなかった。つまりコピーモードの画面が表示されている状態では、予め登録したＦＡＸモードの画面を表示させることができないという不都合があったが、この不都合は解消されるようになっている。
【特許文献１】特開平１０−２９４８１３号公報
【発明の開示】
【発明が解決しようとする課題】
【０００５】
しかしながら、前記特許文献１に記載された発明では、あるプログラムが画面表示されている状態であっても他のプログラムを呼出すことはできるものの、呼出されたプログラムについて登録された画像処理機能を使用するためには、使用したい機能について、ユーザーは常時、処理する画像データ毎に画像データの入力形式及び出力形式の両方に配慮し使用するキーを使い分けて画像処理機能を設定操作をする必要があり、マルチファンクション型の画像形成装置が宿命的に備える機能設定の操作が複雑困難である点は少しも改善されていない。
【０００６】
本発明は、このような実状に鑑みてなされたものであり、その目的はマルチファンクション型の画像形成装置における画像処理機能の設定を容易にし、その画像処理機能で原稿画像を処理することである。
【課題を解決するための手段】
【０００７】
請求項１の発明は、多機能型の画像形成装置において、原稿画像の入力形式及び出力形式を入力する手段と、予め入力された入力形式と出力形式の組合せ情報及び該組合せ情報に対応させて、該組合せ情報に応じて実行される画像処理情報を記憶する手段と、原稿画像毎に入力された入力形式及び出力形式に基いて入力形式と出力形式の組合せ情報を作成し、この組合せ情報に基いて前記画像処理情報を記憶手段から取得し、取得された画像処理情報により原稿画像を処理する手段と、を備えたことを特徴とする画像形成装置である。
請求項２の発明は、多機能型の画像形成装置において、原稿画像の入力形式又は出力形式を入力する手段と、予め入力された入力形式と出力形式の組合せ情報及び該組合せ情報に対応させて、該組合せ情報に応じて実行される画像処理情報並びに入力された入力形式又は出力形式を記憶する手段と、原稿画像毎に前記入力形式及び出力形式が入力されているか否かを判断し、入力されていないとき入力形式及び出力形式の組合せ情報が構成されるように入力形式又は出力形式の入力をユーザーに要求し、要求に応じて入力された入力形式又は出力形式に基いて前記組合せ情報を作成し、この組合せ情報に基いて前記画像処理情報を記憶手段から取得し、取得された画像処理情報により原稿画像を処理する手段と、を備えたことを特徴とする画像形成装置である。
請求項３の発明は、多機能型の画像形成装置のコンピュータを、原稿画像の入力形式及び出力形式の少なくとも一方の形式を入力する手段、予め入力された入力形式と出力形式の組合せ情報及び該組合せ情報に対応させて、該組合せ情報に応じて実行される画像処理情報を記憶させる手段、原稿画像毎に前記入力形式及び出力形式が入力されているか否かを判断し、入力されているとき、この入力形式及び出力形式に基いて入力形式及び出力形式の組合せ情報を作成し、入力されていないとき入力形式及び出力形式の組合せ情報が作成されるように入力形式又は出力形式の入力をユーザーに要求し、要求に応じて入力された入力形式又は出力形式に基いて前記組合せ情報を作成し、この組合せ情報に基いて、前記画像処理情報を記憶手段から取得し、取得された画像処理情報により原稿画像を処理する手段、として機能させるためのプログラムである。
【発明の効果】
【０００８】
本発明によれば、原稿画像の入力形式及び出力形式の組合せに基いて予め記憶されている画像処理情報をダイレクトに呼出すので、使用するキーを複雑に使分ける必要がなく、画像処理機能の設定が容易になる。このためマルチファンクション型の画像形成装置の操作性がよくなる。また前記画像処理情報により画像情報の処理ができる。
【発明を実施するための最良の形態】
【０００９】
以下、本発明の実施形態を図面を参照して説明する。
はじめに、本発明が実施される複合機として機能するデジタル複写機について説明する。
図１は、本発明が適用されるデジタル複写機の中央部断面構成図である。図１において、自動原稿送り装置（以後ＡＤＦ）１にある、原稿台２に原稿の画像面を上にして置かれた原稿束は、操作部３０上のプリントキー３４が押下されると、一番下の原稿から給送ローラ３、給送ベルト４によってコンタクトガラス６上の所定の位置に給送される。一枚の原稿の給送完了により原稿枚数をカウントアップするカウント機能を有している。給送された原稿は読取りユニット５０によってコンタクトガラス６上の原稿の画像データを読取り後、読取りが終了した原稿は、給送ベルト４及び排送ローラ５によって排出される。さらに、原稿セット検知器７にて原稿台２に次の原稿が有ることを検知した場合、前原稿と同様にコンタクトガラス６上に給送される。給送ローラ３、給送ベルト４、排送ローラ５は搬送モータ２６によって駆動される。第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。読取りユニット５０にて読込まれた画像データは、書込みユニット５７からのレーザによって感光体１５に書込まれ、現像ユニット２７を通過することによってトナー像が形成される。そして、転写紙は感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【００１０】
後処理装置のフィニシャ１００は、本体の排紙ローラによって搬送された転写紙を、通常排紙ローラ１０２方向と、ステープル処理部方向へ導くことができる。切替板１０１を上に切替えることにより、搬送ローラ１０３を経由して通常排紙トレイ１０４側に排紙することができる。また、切替板１０１を下方向に切替えることで、搬送ローラ１０５、１０７を経由して、ステープル台１０８に搬送することができる。ステープル台１０８に積載された転写紙は、一枚排紙されるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
【００１１】
一方、通常の排紙トレイ１０４は前後に移動可能な排紙トレイである。前後に移動可能な排紙トレイ部１０４は、原稿毎、あるいは、画像メモリによってソーティングされたコピー部毎に、前後に移動し、簡易的に排出されてくるコピー紙を仕分ける。転写紙の両面に画像を作像する場合は、各給紙トレイ８〜１０から給紙され作像された転写紙を排紙トレイ１０４側に導かないで、経路切替えのための分岐爪１１２を上側にセットすることで、一旦両面給紙ユニット１１１にストックする。
【００１２】
その後、両面給紙ユニット１１１にストックされた転写紙は再び感光体１５に作像されたトナー画像を転写するために、両面給紙ユニット１１１から再給紙され、経路切替えのための分岐爪１１２を下側にセットし、排紙トレイ１０４に導く。この様に転写紙の両面に画像を作成する場合に両面給紙ユニット１１１は使用される。感光体１５、搬送ベルト１６、定着ユニット１７、排紙ユニット１８、現像ユニット２７はメインモータ２５によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される。また、装置内で異常をユーザーに知らせなければならない部分には、異常を検知するセンサーが設置されている。
【００１３】
図２は、操作部を示す図であり、図中、操作部３０には、液晶タッチパネル３１、テンキー３２、クリア／ストップキー３３、スタートキー３４、予熱キー３５、リセットキー３６、初期設定キー３７、印刷キー３８、送信キー３９、保存キー４０、プログラムキー４１があり、液晶タッチパネル３１には、入出力形式の選択キー、機能設定キー、部数、及び画像形成装置の状態を示すメッセージなどが表示される。
【００１４】
初期設定キー３７を押すことにより複写機の初期状態を任意にカスタマイズすることが可能である。複写機が収納している用紙サイズを設定したり、コピー機能のモードクリアキーを押したときに設定される状態を任意に設定可能である。また、一定時間操作が無いときに優先して選択されるアプリケーション等も選択すること、国際エネルギースター計画に従った低電力への移行時間の設定や、オートオフ／スリープモードへの移行する時間を設定することが可能である。予熱キー３５を押すと、複写機は待機状態から、電力低減状態に移行し、定着温度を低下させたり、操作部の表示を消灯する。予熱状態は、国際エネルギースター計画で言う、低電力状態を意味している。また、予熱状態、オフ状態／スリープ状態を解除し、待機状態に移行させるには、この予熱キーを再度押下する。プログラムキー４１を押すことで、そのとき設定中の設定を保存する画面、保存した設定を呼出すための画面が表示され、登録及び呼出しを可能にする。
【００１５】
図３は、操作部の液晶タッチパネルの表示例を示す図である。図３において、オペレータが液晶タッチパネル３１に表示されたキーにタッチすると、選択された機能を示すキーが設定できたことを表示する。操作は入力形式８５として紙原稿８０又は電子原稿８１から選択し、また出力形式８６として印刷キー８２又は送信キー８３又は保存キー８４を選択可能にする。入力形式８５と出力形式８６を指定することで従来のコピー、スキャナ、ファックスの持つ機能を実現させることができる。例えば入力形式：紙原稿、出力形式：印刷とした場合にはコピー機能が実現される。それぞれの機能に対する設定は、紙原稿、電子原稿、印刷、送信、保存といったタッチパネル上のそれぞれキー８０，８１，８２，８３，８４を押下することでタブ切替が行われ、設定を行うことができる。また、入出力形式に対し詳細を指定しなければならない場合は、紙原稿画面８７に表示されている紙原稿に対する機能や、印刷機能画面８８に表示されている印刷に対する機能を設定するためのキーにタッチすることで、詳細機能の設定画面が表示される。このように液晶タッチパネルは、ドット表示器を使用しているため、その時の最適な表示をグラフィカルに行うことが可能である。
【００１６】
図４は、メインコントローラを中心とする制御装置を示す図である。図４において、メインコントローラ２０は複写機全体を制御する。メインコントローラ２０には、オペレータに対する表示、オペレータからの機能設定入力制御を行う操作部３０、スキャナの制御、原稿画像を画像メモリに書込む制御、画像メモリからの作像を行う制御等を行う画像処理ユニット（ＩＰＵ）４９、原稿自動送り装置（ＡＤＦ）１等の分散制御装置が接続されている。各分散制御装置とメインコントローラ２０は必要に応じて装置の状態、動作指令や検知した異常情報のやりとりを行っている。また紙搬送等に必要なメインモータ２５、各種クラッチ２１〜２４も接続されている。
【００１７】
再度図１を参照し、デジタル複写機の原稿読取りから画像の書込みまでを説明する。読取りユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。露光ランプ５１及び第１ミラー５２は図示しない第１キャリッジ上に固定され、第２ミラー５５及び第３ミラー５６は図示しない第１キャリッジ上に固定されている。原稿像を読取るときには、光路長が変わらないように、第１キャリッジと第２キャリッジとが２対１の相対速度で機械的に操作される。この光学走査系は、図示しないスキャナ駆動モータにて駆動される。原稿画像は、ＣＣＤイメージセンサ５４によって読取られ、電気信号に変換されて処理される。
【００１８】
書込みユニット５７はレーザ出力ユニット５８、結像レンズ５９、ミラー６０で構成され、レーザ出力ユニット５８の内部には、レーザ光源であるレーザダイオード及びモータによって高速で定速回転する多角形ミラー（ポリゴンミラー）が備わっている。
【００１９】
書込みユニット５７から出力されるレーザ光が、画像作像系の感光体１５に照射される。図示しないが感光体１５の一端近傍のレーザビームを照射される位置に、主走査同期信号を発生するビームセンサが配置されている。
【００２０】
図５は、画像処理ユニット（ＩＰＵ）４９の内部構成のブロック構成図である。
図５において、露光ランプ５１から照射された光の反射を、ＣＣＤイメージセンサ５４にて光電変換し、Ａ／Ｄコンバータ６１にてデジタル信号に変換する。デジタル信号に変換された画像信号は、シェーディング補正６２がなされた後、画像処理部６３にてＭＴＦ補正、γ補正等がなされる。その後、印字合成部７１を介して入力した画像データを変倍回路７７へ、或いは、画像メモリコントローラ６５へ切替えて供給するものであり、変倍回路７７を経由した画像信号は変倍率に合せて拡大縮小され、書込みユニット５７に送られる。一方、画像メモリコントローラ６５とセレクタ６４間は、双方向に画像信号を入出力可能な構成となっている。図５には特に明示していないが、ＩＰＵ４９には読取りユニット５０から入力される画像データ以外にもＩ／Ｏポート６７を介して外部から供給される画像データ、例えばパーソナルコンピュータや外部ファクシミリからの受信データ等のデータ処理装置から入力したデータも処理できるよう、複数のデータの入出力の選択を行う機能を有している。
【００２１】
本実施形態においてはＩ／Ｏポート６７を介してデジタル複写機をネットワーク接続しており、その通信手段には、インターネットの標準プロトコルとして普及しているＴＣＰ／ＩＰ通信プロトコルを用いる。また、図８で後述するネットワーク構成を持ち、ネットワーク接続された各画像形成装置の機械構成情報や動作状況、もしくはリモート出力コマンド等の制御コマンド、設定コマンドもしくは外部サーバとの画像データや送信先アドレス帳データなどの送受信を行っている。
【００２２】
また、画像メモリコントローラ６５等への設定や、読取り部５０書込み部５７の制御を行うＣＰＵ６８、及びそのプログラムやデータを格納するＲＯＭ６９、ＲＡＭ７０、ＮＶ−ＲＡＭ７４を備えている。ＮＶ−ＲＡＭ７４は内蔵電池を使用することにより電源断時でもデータが消えない不揮発性ＲＡＭである。更にＣＰＵ６８は、メモリコントローラ６５を介して、画像メモリ６６のデータの書込み、読出しが行える。原稿画像で画像メモリコントローラ６５へ送られた画像は、画像メモリコントローラ内にある画像圧縮装置によって画像データを圧縮した後、画像メモリ６６に送られる。ここで画像圧縮する理由は、最大画像サイズ分の２５６階調のデータをそのまま画像メモリ６６に書込むことも可能であるが、１枚の原稿画像で画像メモリを大量に使用する。画像圧縮を行うことで限られた画像メモリを有効に利用できる。
【００２３】
画像メモリ６６の画像はＣＰＵ６８からアクセス可能な構成となっている。このため画像メモリの内容を加工することが可能であり、例えば画像の間引き処理、画像の切出し処理等が行える。加工には、メモリコントローラ６５のレジスタにデータを書込むことで画像メモリの処理を行うことができる。加工された画像は再度画像メモリに保持される。画像メモリ６６は、処理を行う画像データの大きさにより複数のエリアに分割して画像データの入出力を同時に実行可能な構成をとっている。各分割したエリアに画像データの入力、出力をそれぞれ並列に実行可能にするためにメモリコントローラとのインターフェースにリード用とライト用の二組のアドレス・データ線で接続されている。これによりエリア１に画像を入力（ライト）する間にエリア２より画像を出力（リード）するという動作が可能になる。画像メモリ６６は、多くの画像データを収納するためＨＤ(ハードディスク)７５を別に設けることもある。ハードディスクを用いることにより、外部電源が不用で永久的に画像を保持できる特徴もある。複数の定型の原稿（フォーマット原稿）をスキャナで読み込み保持するためには、このハードディスクが用いられるのが一般的である。
【００２４】
書込み、読出し時には本体の作像やスキャナからの画像書込みに対し処理速度の差を吸収するために、画像データは一旦画像メモリに記憶され処理される。また画像記憶装置からのデータを書込みユニット５７に送る際は、画像メモリ６６に一旦記憶し、書込みユニット５７に送ることになる。このように画像を記憶する装置の画像メモリ６６、ＨＤ７５、スキャナ画像、書込みユニットに送る画像の入出力は全てメモリコントローラ６５によって画像パスを決められる。また、スキャナでの配信時には、電子メール送信を行う際の画像データのエンコード時に画像メモリ６６に一旦記憶され処理され、或いは本体アドレス帳データの保持／編集／削除なども画像メモリを用いて行っている。このようにＣＰＵ６８が画像データの入力、出力を決めることでＣＰＵに接続されたメモリコントローラ６５が画像の流れを切替えることが可能となる。
【００２５】
図６は、セレクタにおける１ページ分の画像信号の説明図であり、図６を参照しセレクタ６４における１ページ分の画像信号について説明する。
／ＦＧＡＴＥは、１ページの画像データの副走査方向の有効期間を表している。／ＬＳＹＮＣは、１ライン毎の主走査同期信号であり、この信号が立上った後の所定クロックで、画像信号が有効となる。主走査方向の画像信号が有効であることを示す信号が、／ＬＧＡＴＥである。これらの信号は、画素クロックＶＣＬＫに同期しており、ＶＣＬＫの１周期に対し１画素８ビット（２５６階調）のデータが送られてくる。本実施例では、転写紙への書込密度４００ｄｐｉ、最大画素数は、主走査４８００画素、副走査６８００画素である。また本実施例では、画像データは２５５に近いほど白画像になるとする。
【００２６】
図７は、図１のデジタル複写機の制御部のブロック構成図であり、図中、システムコントローラ２０１は、操作部コントローラ２０２ａ、周辺機コントローラ２０２ｂ等の各種コントローラを介し、融合アプリケーション２０４により各種データのやり取りを制御している。また後述する入出力形式の組合せ作成や画像処理情報の登録、呼出し、及び画像処理情報により実行される画像処理を制御する。
【００２７】
図８は、デジタル複写機とクライアントパソコン間でデータの送受信を行うネットワーク構成を示す図である。図８において、デジタル複写機３０１は、そのＩ／Ｏポート６７（図５）を介してクライアントパソコン３０２、３０３と配信サーバ３０４又はＳＭＴＰサーバ３０５又はＦＴＰサーバを経由しデータの送受信を行う。
【００２８】
次に、本発明の実施形態に係るデジタル複写機の画像処理機能を、該処理機能を実施するための画像処理情報として登録する手法及び該画像処理情報を呼出す手法について図９〜図１４を参照して詳細に説明する。
【００２９】
まず、デジタル複写機の画像処理情報を登録する手法について説明する。
図９は、液晶タッチパネル３１（図３）に表示された既に登録されたデジタル複写機々能の一覧表示画面を示す図である。図９において、９４は登録番号表示キー、９５は登録日時表示キー、９６はプログラムタイトル表示キー、９７は機能表示キーである。いま登録番号表示キー９４の第１番目（ＮＯ．１）には、登録日時２００４／０４／０４／３０  １１：３５、タイトル定期検討会、処理機能コピーのプログラムが登録されている。ユーザーはこのプログラムを呼出すことにより、タイトル定期検討会の原稿画像を入力形式及び出力形式の組合せに基て予め設定されたコピー機能、スキャナ機能等の処理機能を実現するための画像処理情報により画像処理する。なお、本出願において、原稿画像の処理とは、原稿画像の読取及び保存及び印刷及び複写及びファクシミリ送信及びメール送信の処理をいう。
【００３０】
図１０は、入力形式及び出力形式の設定を行う画面を示す図である。ユーザーは、この画面上で入力形式９８ａ及び／又は出力形式９８ｂを設定する。するとシステム制御部２０１は、操作部３０の不図示の不揮発メモリに設定された入力形式９８ａ及び／又は出力形式９８ｂを登録する。本例の場合、入力形式９８ａ及び出力形式９８を設定しＯＫキーをタッチすることにより、入力形式と出力形式の組合せが作成される。
【００３１】
図１１は、デジタル複写機の画像処理情報を登録する処理のフロー図である。
なお、この処理は汎用のプログラム言語で記述されたプログラムに基きコンピュータであるシステム制御部２０１の動作によって実行される。後述する呼出し処理においても同様である。
図１１を参照して説明すると、ユーザーが操作部３０のプログラムキー４１を押下すると（Ｓ１）、システム制御部２０１は液晶タッチパネル３１上にプログラムの登録画面（図９）を表示する。この画面は、呼出しタブ９１、名称変更タブ９２、消去タブ９３にタッチすることにより、それぞれ呼出し画面、名称変更画面、消去画面に変化する。ここでは登録タブがタッチされて登録画面が表示される（Ｓ２）。
【００３２】
システム制御部２０１は、ユーザーが登録したい登録番号表示キー９４のタッチを受付けると（Ｓ３）、当該登録番号が既に登録済みか否かを判断する（Ｓ４）。登録済みのときは（Ｓ４，ＹＥＳ）、更に上書きするか否かを判断し（Ｓ６）、上書きするとき（Ｓ６，ＹＥＳ）、及び登録済みでないとき（Ｓ４，ＮＯ）、ユーザーに対し登録する入力形式及び／又は出力形式の設定（入力）を液晶タッチパネル上で促す（Ｓ５）。
【００３３】
入力形式及び出力形式の両方が設定された場合（Ｓ７）、つまり入力形式及び出力形式が組合されて設定された場合においては、この組合せにより実現されるコピー機能、ＦＡＸ機能、スキャナ機能を選択したものと判断し（Ｓ１０）、この機能を実行するための情報つまり画像処理情報として不揮発性メモリに保存し（Ｓ１１）、更に設定が完了したか否かを判断する（Ｓ１２）。完了と判断したとき（Ｓ１２，ＹＥＳ）、この処理を終了する。完了と判断しないときは（Ｓ１２，ＮＯ）、登録番号表示キーの押下を待つ。
【００３４】
出力形式のみが設定された場合（Ｓ８）及び入力形式のみが設定された場合（Ｓ９）においては、それぞれ現在設定中の出力形式のみ及び入力形式のみをそれぞれ分けて不揮発性メモリに保存し（Ｓ１１）、更に設定が完了したか否かを判断する（Ｓ１２）。完了と判断したときこの処理を終了する。完了と判断しないとき（Ｓ１２，ＮＯ）、登録番号表示キーの押下を待つ。
【００３５】
登録時にはユーザーは、タイトルキー９６に任意のプログラムタイトルを登録できるほか、日時キー９５に登録日時、また入力形式と出力形式の組合せの場合には組合せにより実行される機能名を機能表示キー９７に、更に入力形式と出力形式のいずれか一方の登録の場合には入力形式又は出力形式を同機能表示キー９７に同時に登録することができる。
【００３６】
続いて、デジタル複写機の画像処理情報を呼出す手法について説明する。
図１２は、液晶タッチパネル３１（図３）に表示されたデジタル複写機処理情報の呼出し画面を示す図である。この画面は図９の呼出タブ９１をタッチすることにより表示される。
いまユーザーが呼出し画面上で例えば登録番号２のプログラムを選択すると、システム制御部２０１は、タッチパネル３１に入力形式及び出力形式の設定画面を表示し、ユーザーに対し入力形式又は出力形式の設定を求める。ユーザーはこの求めに応じて所要の形式を設定すると、設定された形式により入力形式及び出力形式の組合せが作成され、この組合せで実現する画像処理情報の呼出しが行われる。
【００３７】
図１３は、出力形式の設定を求める画面を示す図であり、画面上で蓄積保存９９ａ、印刷９９ｂ、ＦＡＸ送信９９ｃ、メール送信９９ｄの設定が求められている。ユーザーはこの求めに応じて例えばＦＡＸ送信９９ｃを設定すると出力形式としてＦＡＸ送信が設定されることになる。
【００３８】
図１４は、デジタル複写機の画像処理情報を呼出す処理のフロー図である。
図１４を参照して説明すると、ユーザーが操作部３０のプログラムキー４１を押下すると（Ｓ２１）、システム制御部２０１は液晶タッチパネル３１上にプログラムの登録画面（図９）を表示する。この画面で、呼出しタブ９１にタッチすることでプログラムの呼出し画面（図１２）が表示される（Ｓ２２）。
【００３９】
次にシステム制御部２０１は、ユーザーが呼出したい登録番号表示キー９４のタッチを受付けると（Ｓ２３）、当該登録番号が既に登録済みか否かを判断する（Ｓ２４）。登録済みと判断するとき（Ｓ２４，ＹＥＳ）、当該登録番号のプログラムは入力形式及び出力形式が組合せて設定されているか否かを判断する（Ｓ２５）。設定が入力形式及び出力形式の組合せであるとき（Ｓ２５，ＹＥＳ）、この入力形式及び出力形式に基く画像処理情報を不揮発性メモリから呼出し（Ｓ３０）、この処理を終了する。
【００４０】
入力形式と出力形式がそれぞれ原稿読取りと転写紙印字の場合、コピー機能が呼出され、また原稿読取りとＦＡＸ送信の場合、ＦＡＸ機能が呼出され、更に原稿読取りとメール送信の場合、スキャナ機能の各機能を実現するための画像処理情報が呼出される。
【００４１】
設定が入力形式及び出力形式の組合せでなくて（Ｓ２５，ＮＯ）、入力形式のみ設定されているとき（Ｓ２６）、出力形式の設定をユーザーに画面（図１３）上で求め（Ｓ２７）、ユーザーがこれに応えて出力形式を設定することにより、入力形式及び出力形式の組合せが作成され、この組合せに基く画像処理情報を不揮発性メモリから呼出し（Ｓ３０）、処理を終了する。この呼出により前記画像処理情報のいずれにも入力形式の設定が利用できるようになる。
【００４２】
入力形式として原稿読取りが設定されていて、出力形式として蓄積保存、転写紙印字、ＦＡＸ送信の設定が促され、これらを設定すると、原稿読取りと蓄積保存、転写紙印字、ＦＡＸ送信とにより実行される蓄積機能、コピー機能、ＦＡＸ機能を実現するための画像処理情報が呼出される。
【００４３】
設定が入力形式及び出力形式でなくて（Ｓ２５，ＮＯ）、出力形式のみ設定されているとき（Ｓ２８）、入力形式の設定をユーザーに画面上で求め（Ｓ２９）、ユーザーがこれに応えて入力形式を設定することにより、入力形式及び出力形式の組合せを作成し、この組合せで実行される画像処理情報を不揮発性メモリから呼出し（Ｓ３０）、処理を終了する。この呼出しにより前記機能のいずれかに該当する出力形式の設定が利用できるようになる。システム制御部２０１は、呼出された画像処理情報により原稿画像の処理を行う。
【００４４】
出力形式として転写紙印字、ＦＡＸ送信、メール送信が設定されていて、入力形式として原稿読取り、蓄積文書の選択が促され、これらを選択すると、原稿読取り、蓄積文書と転写紙印字、ＦＡＸ送信、メール送信とにより実行されるコピー機能、ＦＡＸ機能、メール機能を実現するための画像処理情報が呼出される。
【００４５】
以上述べた登録と呼出しを実行させるために、前記処理手順を汎用のプログラム言語によりコンピュータプログラムとして記述し、かつ、このプログラムをフレキシブルディスク、ＣＤ−ＲＯＭ、ＤＶＤ−ＲＯＭ等の任意の記録媒体に記録し、これを通常のデジタル複写機に読取らせることで本発明に係るデジタル複写機の画像処理機能の登録及び呼出しを容易に実施することができる。本プログラムは、記録媒体に記録する以外に、インターネット、イントラネット等の任意のネットワークを介して、他のデジタル複写機のコンピュータに直接読み取らせることも可能である。
【産業上の利用可能性】
【００４６】
以上のように本発明に係る画像形成装置は、少なくともコピー機能、ＦＡＸ機能、スキャナ機能を有する画像形成装置において有用であり、特にそれ以外の多種類の画像処理機能を備える画像形成装置に用いるのに適している。
【図面の簡単な説明】
【００４７】
【図１】本発明が適用されるデジタル複写機の中央部断面構成図である。
【図２】操作部を示す図である。
【図３】操作部の液晶タッチパネルの表示例を示す図である。
【図４】メインコントローラを中心とする制御装置を示す図である。
【図５】画像処理ユニット（ＩＰＵ）の内部構成のブロック構成図である。
【図６】セレクタにおける１ページ分の画像信号の説明図である。
【図７】制御部のブロック構成図である。
【図８】デジタル複写機とクライアントパソコン間でデータの送受信を行うネットワーク構成を示す図である。
【図９】液晶タッチパネルに表示された既に登録された設定内容の一覧を示す図である。
【図１０】入力形式及び出力形式の設定を行う画面を示す図である。
【図１１】デジタル複写機の画像処理情報を登録する処理のフロー図である。
【図１２】液晶タッチパネルに表示された既に登録された設定内容の呼出し画面を示す図である。
【図１３】出力形式の設定を求める画面を示す図である。
【図１４】デジタル複写機の画像処理情報を呼出す処理のフロー図である。
【符号の説明】
【００４８】
１・自動原稿送り装置、２・原稿台、３・給走ローラ、４・給走ベルト、５・排走ローラ、６・コンタクトガラス、７・原稿セット検知器、８・第１トレイ、
１１・第１給紙ユニット、１５・感光体、１７・定着ユニット、１８・排紙ユニット、２７・現像ユニット、５０・読取りユニット、５７・書込みユニット、１００・フィニシャ、１１１・両面搬送ユニット
【図１】
2006148243.tif 000003
【図２】
2006148243.tif 000004
【図３】
2006148243.tif 000005
【図４】
2006148243.tif 000006
【図５】
2006148243.tif 000007
【図６】
2006148243.tif 000008
【図７】
2006148243.tif 000009
【図８】
2006148243.tif 000010
【図９】
2006148243.tif 000011
【図１０】
2006148243.tif 000012
【図１１】
2006148243.tif 000013
【図１２】
2006148243.tif 000014
【図１３】
2006148243.tif 000015
【図１４】
2006148243.tif 000016